(57)【要約】【課題】回転手段７の固定ブラケット１１を脚部２の脚柱４側に長期に亘って安定状態に取り付けることができる作業台を提供する【解決手段】作業ステージ１の左右両端に脚部２が回転金具３で開脚状態と閉脚状態との間で開閉可能に設けられ、各脚部２は、前後一対の脚柱４，４と両脚柱４，４間に横架される踏桟５とからなり、各脚柱４に、手掛かり棒６が、脚柱４に沿う折り畳み状態と作業ステージ１より上方に突出する伸展状態とに亘って回転手段７により左右方向回動可能に枢着されてなる作業台であって、回転手段７は、脚柱４側に取り付る固定ブラケット１１と手掛かり棒６に取り付ける可動ブラケット１３とからなり、可動ブラケット１３は、回転用枢軸１７を介して、手掛かり棒６の伸展状態と折り畳み状態とに亘って回転可能に固定ブラケット１１に連結され、固定ブラケット１１は、脚柱４に固定された回転金具３の連結板Ｒに固定具９によって固定される。【選択図】図５
2005232708.tif 000002
【特許請求の範囲】
【請求項１】
作業ステージの左右両端に、脚部が、作業ステージに取り付けられる取付板と脚部に取り付けられる連結板とを重合させて枢支軸で枢支連結してなる回転金具によって、開脚状態と閉脚状態との間で左右方向に開閉可能に設けられ、各脚部は、前後一対の脚柱と両脚柱間に横架される踏桟とからなり、各脚柱に、作業ステージよりも上方に突出する長さの手掛かり棒が、脚柱に沿う折り畳み状態と作業ステージよりも上方に突出する伸展状態とに亘って、当該手掛かり棒の基端部が回転手段によって左右方向に回動可能に枢着されてなる作業台であって、回転手段は、脚柱側に取り付けられる固定ブラケットと手掛かり棒に取り付けられる可動ブラケットとからなり、可動ブラケットは、固定ブラケットとの間に設けられた回転用枢軸を介して、手掛かり棒の伸展状態と折り畳み状態とに亘って回転可能に固定ブラケットに対し連結されており、固定ブラケットは、脚柱に固定された回転金具の連結板に対して固定具によって取り付け固定されてなることを特徴とする作業台。
【請求項２】
固定ブラケットは、回転用枢軸を介して可動ブラケットに対して回転可能に連結されるブラケット本体と、このブラケット本体に取り付けられる取付用ブラケットとからなり、脚柱は、左右側壁と両側壁をつなぐ本体側壁とによって横断面コ字状に形成された型材からなるもので、本体側壁の上端部外側面に回転金具の連結板がリベットで固定されていて、この本体側壁の裏側から連結板を介して取付用ブラケットに挿通されるボルトによって固定ブラケットが回転金具の連結板に対し取り付け固定されることを特徴とする請求項１に記載の作業台。
【請求項３】
固定ブラケットの取付用ブラケットには、回転金具の連結板の外側面に突出するリベットの頭が嵌挿可能なリベット頭嵌挿孔が設けられていることを特徴とする請求項２に記載の作業台。
【発明の詳細な説明】
【技術分野】
【０００１】
本発明は、建物の建設現場等において天井の内装仕上げや天井内の配線、配管等の比較的高い場所で作業を行うときに使用する脚立等の作業台に関するもので、作業ステージの左右両端に脚部が回転金具によって開脚状態と閉脚状態との間で左右方向に開閉可能に設けられた作業台に関する。
【背景技術】
【０００２】
この種の従来の作業台では、脚部の長さが長くなって、床面から最上部までの高さが高くなれば、作業者が作業ステージで作業したり、作業ステージに対し登り下りするときに不測に落下すると危険であることから、そのようなときに作業者が手掛かりをするために作業ステージより上方に突出する長さの手掛かり棒を脚部の脚柱に設けることが、特許文献１によって知られている。
【０００３】
図１０の(a) は特許文献１に記載された従来の作業台を示す正面図、(b) はその側面図であり、図１１の(a) は図１０の(a) の矢印ニで示される部分の拡大図、(b) は図１０の(b) の矢印ホで示される部分の拡大図である。この作業台は、作業ステージ１の左右両端に脚部２，２を回転金具３により開脚状態と閉脚状態との間で左右方向に開閉可能に設けてなるもので、各脚部２は、前後一対の脚柱４，４と、両脚柱４，４間に横架される踏桟５とからなり、各脚柱４には、作業ステージ１よりも上方に突出する長さの手掛かり棒６が、脚柱４に沿う折り畳み状態（図１０の(b) の仮想線図示参照）と作業ステージよりも上方に突出する伸展状態（図１０の(b) の実線図示参照）とに亘って、この手掛かり棒６の基端部が回転手段７によって左右方向に回動可能に枢着されている。
【０００４】
回転手段７は、各脚部２の脚柱４側に取り付けられる固定ブラケット１１と手掛かり棒６に取り付けられる可動ブラケット１３とからなるもので、可動ブラケット１３は、固定ブラケット１１との間に設けられた回転用枢軸（図示省略）を介して、手掛かり棒６の伸展状態と折り畳み状態とに亘って回転可能に固定ブラケット１１に対し連結されている。しかして、手掛かり棒６の基端部を脚部２の脚柱４側に取り付けるには、回転手段７の固定ブラケット１１を脚柱４の外側面部に当て付けて、固定ブラケット１１をビス又はリベットによって脚柱４に取り付け固定する。また、手掛かり棒６を伸展状態に維持する伸展ロック手段（図示省略）も設けられる。
【特許文献１】特許第３０９３６９９号
【発明の開示】
【発明が解決しようとする課題】
【０００５】
上記従来の作業台では、手掛かり棒６の基端部を脚部２の脚柱４側に取り付けるのに、回転手段７の固定ブラケット１１を脚柱４の外側面部に当て付けて、この固定ブラケット１１をビス又はリベットによって脚柱４に直接固定するようにしているため、作業台の使用によって手掛かり棒６を頻繁に使用しているうちに、応力の集中し易い脚柱４のリベット孔が摩滅して、ビス又はリベットとビス孔又はリベット孔との隙間が拡大し易く、それにより固定ブラケット１１がガタツキを生じ、また脚柱４の固定ブラケット１１取付部分が変形を生じる、という不都合がある。特に、脚柱４がアルミ押出型材からなる場合は、その傾向が大きい。
【０００６】
本発明は、上記の課題に鑑み、回転手段７の固定ブラケット１１を脚部２の脚柱４側に長期に亘って安定状態に取り付けることができ、使用によって固定ブラケット１１がガタツキを生じることがないようにした作業台を提供することを目的とする。
【課題を解決するための手段】
【０００７】
上記課題を解決するための手段を、後述する実施形態の参照符号を付して説明すると、請求項１に係る発明は、作業ステージ１の左右両端に、脚部２が、作業ステージ１に取り付けられる取付板Ｔと脚部２に取り付けられる連結板Ｒとを重合させて枢支軸Ｓで枢支連結してなる回転金具３によって、開脚状態と閉脚状態との間で左右方向に開閉可能に設けられ、各脚部２は、前後一対の脚柱４，４と両脚柱４，４間に横架される踏桟５とからなり、各脚柱４に、作業ステージ１よりも上方に突出する長さの手掛かり棒６が、脚柱４に沿う折り畳み状態と作業ステージ１よりも上方に突出する伸展状態とに亘って、当該手掛かり棒６の基端部６ａが回転手段７によって左右方向に回動可能に枢着されてなる作業台であって、回転手段７は、脚柱４側に取り付けられる固定ブラケット１１と手掛かり棒６に取り付けられる可動ブラケット１３とからなり、可動ブラケット１３は、固定ブラケット１１との間に設けられた回転用枢軸１７を介して、手掛かり棒６の伸展状態と折り畳み状態とに亘って回転可能に固定ブラケット１１に対し連結されており、固定ブラケット１１は、脚柱４に固定された回転金具３の連結板Ｒに対して固定具９によって取り付け固定されてなることを特徴とする。
【０００８】
請求項２は、請求項１に記載の作業台において、固定ブラケット１１は、回転用枢軸１７を介して可動ブラケット１３に対して回転可能に連結されるブラケット本体１１ａと、このブラケット本体１１ａに取り付けられる取付用ブラケット１１ｂとからなり、脚柱４は、左右側壁４ｂ，４ｂと両側壁４ｂ，４ｂをつなぐ本体側壁４ａとによって横断面コ字状に形成された型材からなるもので、本体側壁４ａの上端部外側面に回転金具３の連結板Ｒがリベット４２で固定されていて、この本体側壁４ａの裏側から連結板Ｒを介して取付用ブラケット１１ｂに挿通されるボルト９ａによって固定ブラケット１１が回転金具３の連結板Ｒに対し取り付け固定されることを特徴とする。
【０００９】
請求項３は、請求項２に記載の作業台において、固定ブラケット１１の取付用ブラケット１１ｂには、回転金具３の連結板Ｒの外側面に突出するリベット４２の頭４２ａが嵌挿可能なリベット頭嵌挿孔４５が設けられていることを特徴とする。
【発明の効果】
【００１０】
上記解決手段による発明の効果を、後述する実施形態の参照符号を付して説明すると、  請求項１に係る発明によれば、手掛かり棒６を脚柱４に取り付けるにあたって、固定ブラケット１１を、脚部２の脚柱４に固定された回転金具３の連結板Ｒに対し固定具９によって取り付けることにより、固定ブラケット１１を脚柱４側に長期に亘って安定状態に取り付けることができ、使用によって固定ブラケット１１がガタツキを生じるようなことがなくなる。
【００１１】
請求項２に係る発明によれば、固定ブラケット１１の取付用ブラケット１１ｂを脚柱４の本体側壁４ａの裏側から連結板Ｒを介して挿通されるボルト９ａで回転金具３の連結板Ｒに取り付け固定することによって、固定ブラケット１１の取付用ブラケット１１ｂは、直接的には回転金具３の連結板Ｒに取り付けられると共に、この連結板Ｒとこれが取り付けられている脚柱４の本体側壁４ａとの両者に対しボルト９ａで取り付け固定されることになるから、手掛かり棒６を頻繁に使用しても、それらのボルト挿通孔が摩滅し難く、また脚柱４側が変形したり、損傷するようなことがなく、従って固定ブラケット１１を長期間に亘って的確で安定状態に取り付けることができる。また、ボルト９ａによって取り付けるから、固定ブラケット１１の取付及び取り外しが容易で、手掛かり棒６の着脱が可能となる。
【００１２】
請求項３に係る発明によれば、固定ブラケット１１のブラケット本体１１ａを連結板Ｒの外側面に密着させて的確に取り付けることができる。
【発明を実施するための最良の形態】
【００１３】
以下、本発明の作業台の一実施形態について、図１〜図９を参照しながら説明すると、  図１に示すように、最上部である作業ステージ１の左右両端に、一対の脚部２，２が、回転金具３によって、作業ステージ１の下面に略平行に沿うよう折り畳んだ閉脚状態と、下方に向けて下広がり状態に傾斜して起立した開脚状態との間で開閉可能に設けられている。各脚部２は、図１の(b) に示すように、前後方向に下広がりに、従って上窄み状に鉛直面Ｓに対して５°の傾斜角度αＡに傾斜して配設される前後一対の脚柱４，４と両脚柱４，４間に取り付けられる踏桟５とからなる。脚柱４は、脚柱下端のキャスター４９付き脚端具４７に伸縮脚４８に繋がれ伸縮可能に形成されている。
【００１４】
回転金具３は、図４の(a) から分かるように、作業ステージ１の前後各側面の左右各端部に取り付けられる鋼板製の取付板Ｔと、脚柱４の外側面上端部に取り付けられる同じく鋼板製の連結板Ｒとを重合させて、枢支軸Ｓにより枢支連結してなるもので、図示のように作業ステージ１が開脚状態にあるときは、取付板Ｔ側の当り面Ｆｔと連結板Ｒ側の当り面Ｆｒとが互いに当接してそれ以上の回動が阻止されると共に、取付板Ｔ側のピン孔（図示せず）から連結板Ｒに向けて突出付勢するピンＰが連結板Ｒ側のピン孔Ｏに嵌入係合し、それにより作業ステージ１が開脚状態に保持されるようになっている。また図４の(a)
に示すように、連結板Ｒには脚柱４への取付部分に、回転手段７の固定ブラケット１１を取り付け固定する固定具としてのボルト９ａを挿通するボルト挿通孔３ａが複数設けられている。
【００１５】
そして、図１に示すように、手掛かり棒６は、左右両脚部２，２の夫々に（又は両脚部２，２のうちの何れか一方の脚部２に）、当該脚部２の左右方向の傾斜角度に合致して作業ステージ１より上方に突出する例えば６０ｃｍの長さを有するもので、実線で示すように作業ステージ１よりも上方に突出した伸展状態と、仮想線で示すように脚部３に沿って折り畳まれる折り畳み状態とに亘って、当該手掛かり棒６の基端部が回転手段７によって左右方向に回動可能に枢着されている。
【００１６】
図２の(a) は下端部（基端部）に回転手段７を取り付けた手掛かり棒６の拡大側面図、(b) はその背面図である。図３は手掛かり棒６を回転手段７を介して脚部２の脚柱４に取り付けた状態を示すもので、(a) は図１の(a) の矢印イで示す部分の拡大図、(b) は図１の(b) の矢印ロで示す部分の拡大図である。この手掛かり棒６は、図１に実線で示すように最上部である作業ステージ１の回転金具３よりも上方に突出する伸展状態にあっては、脚部２の脚柱４が前後方向に傾斜するにもかかわらず鉛直面Ｓに沿って伸展されるが、同図の仮想線図示のように脚柱４に沿う折り畳み状態にあっては、手掛かり棒６は脚柱４の前後方向の傾斜角度αＡ、即ち５°の傾斜角度面αＡに合わせて折り畳まれるようにその回転軌跡が矯正される手掛かり棒６の回転面矯正手段１０が回転手段７に設けられている。
【００１７】
手掛かり棒６は、図１の(b) 及び図２の(b) に示すように、その伸展状態において、基端部分６ａが脚柱４の傾斜角度αＡに沿うようになっており、基端部分６ａの上端部から上方突出部分６ｂは折曲部６ｃにより鉛直面Ｓに沿って突出されるよう折曲されている。従って、図２，図５及び図６に示すように折曲部６ｃの傾斜角度αａは５°である。
【００１８】
回転手段７は、脚柱４側に取り付けられるケース状の固定ブラケット１１と、手掛かり棒６に取り付けられる可動ブラケット１３とからなり、可動ブラケット１３は、固定ブラケット１１との間に設けられた回転用枢軸１７を介して、手掛かり棒６の伸展状態と折り畳み状態とに亘って回転可能に固定ブラケット１１に対し連結されてなるもので、手掛かり棒６の取り付けにあたって、固定ブラケット１１は、脚柱４に固定された回転金具３の連結板Ｒに対して固定具９によって取り付け固定されるようになっている。この固定具９は、この実施形態にあっては、ボルト９ａ及びナット９ｂからなるものとするが、リベットでもよい。また、可動ブラケット１３は、図２の(a) 及び図７の(a) に示すように、手掛かり棒６の基端部６ａに嵌合されてリベット１２で当該基端部６ａに固定される。
【００１９】
回転手段７の固定ブラケット１１は、回転用枢軸１７を介して可動ブラケット１３に対して回転可能に連結されるケース状のブラケット本体１１ａと、このケース状ブラケット本体１１ａ内に嵌め込まれて、リベット４１によりブラケット本体１１ａに取り付け固定される取付用ブラケット１１ｂとからなる。また脚柱４は、図５〜図７に示すように、左右側壁４ｂ，４ｂと両側壁４ｂ，４ｂをつなぐ本体側壁４ａとによって横断面コ字状に形成されたアルミ押出型材等の金属押出型材からなるもので、本体側壁４ａの上端部外側面に回転金具３の連結板Ｒがリベット４２で固定されていて、この本体側壁４ａの裏側から本体側壁４ａのボルト挿通孔４ｏ、連結板Ｒのボルト挿通孔３ａ及び取付用ブラケット１１ｂのボルト挿通孔４０を介して挿通されるボルト９ａ（図５参照）によって、固定ブラケット１１が回転金具３の連結板Ｒに対して取り付け固定される。脚柱４の本体側壁４ａの裏側から挿通されるボルト９ａは、取付用ブラケット１１ｂのボルト挿通孔４０の内端部に予め固着されたナット９ｂに螺合されて締結される。この場合、取付用ブラケット１１ｂのボルト挿通孔４０をネジ孔にして、ナット９ｂを省略してもよい。
【００２０】
上記回転手段７と回転面矯正手段１０を、図３〜図９を参照して更に詳細に説明する。固定ブラケット１１（ブラケット本体１１ａと取付用ブラケット１１ｂとからなる）の回動ブラケット１３との対向壁１４は、図５及び図８に示すように、下窄まり状に、即ち、上壁１５が幅広で下壁１６が幅狭で、この幅広上壁１５と幅狭下壁１６を結ぶ対向壁が脚柱４の傾斜面に対して２．５°の傾斜角αＢの下窄まり傾斜壁１４に形成され、この下窄まり傾斜壁１４の中央部には抜け止め用鍔１８付きの回転用枢軸１７が突設されている。従って、この回転用枢軸１７も脚柱４の傾斜面に対して２．５°の傾斜角度αＢに突設されている。
【００２１】
そして図８の（ａ）に示すように、固定ブラケット１１のブラケット本体１１ａの上部側に上壁１５から傾斜壁１４にかけて上向きＵ字状の上部ロック孔１９が開設され、その下部側には下壁１６から傾斜壁１４にかけて下向きＵ字状１の下部ロック孔２０が開設されている。またブラケット本体１１ａの内部には、回転用枢軸１７と同軸に回転ロック板２１が枢着され、このロック板２１の上下部には夫々上部及び下部のロック爪２２，２３が形成され、またロック板２１の側方には解除レバー２４がブラケット本体１１ａの側壁２５の長孔２６から突出して設けられていて、常時はつる巻き状のロックばね２７の付勢力によってロック板２１の上下部両ロック爪２２，２３が夫々上部ロック孔１９および下部ロック孔２０内に突入して両ロック孔１９，２０の入口を塞ぐようになっており、ロックばね２７の付勢力に抗して解除レバー２４を長孔２６に沿って上方に移動させることにより、図８の（ｃ）の仮想線で示すように、両上下部ロック爪２２，２３は両上下部ロック孔１９，２０から後退し、ロック孔１９，２０の入口を開放するようになっている。
【００２２】
また回動ブラケット１３の固定ブラケット１１（ブラケット本体１１ａ）との対向壁２８は、図８の（ｂ）、特に図５に示すように、上窄まり状に、即ち、上壁２９が幅狭で、下壁３０が幅広で、この幅狭上壁２９と幅広下壁３０を結ぶ対向壁２８が脚柱４の傾斜面に対して２．５°の傾斜角αｂの上窄まり傾斜壁２８に形成され、この上窄まり傾斜壁２８の中央部には、固定ブラケット１１のブラケット本体１１ａに突設した回転用枢軸１７が嵌合枢支される縦長孔３１が穿設され、且つこの縦長孔３１と同一上下線上には、前記ブラケット本体１１ａに穿設した上下部ロック孔１９，２０に嵌合ロックする抜け止め用鍔３３付きロックピン３２が突設されている。
【００２３】
しかして、図１の(b) の実線図示のように、一対の手掛かり棒６を作業ステージ１より上方に突出した伸展状態とした時は、図５に詳細に示すように、脚柱４側の固定ブラケット１１の下窄まり傾斜壁１４と、この傾斜壁１４に突設した回転用枢軸１７が縦長孔３１に嵌合枢支されて、下窄まり傾斜壁１４に当接する手掛かり棒６側の上窄まり傾斜壁２８とにおいて、前者の下窄まり傾斜壁１４の下窄まり傾斜角αＢが２．５°であり、これに対し後者の上窄まり傾斜角αｂが２．５°であるから、図５の状態から明らかなように、互いの傾斜角αＢ，αｂが相殺されて脚柱４と手掛かり棒６の基端部分６ａとは結果的に互いに平行に枢着された状態となり、これがために手掛かり棒６の基端部分６ａは、鉛直面Ｓに対して脚柱４と同じ５°の傾斜角αａとなっており、これに対し上方部分６ｂは、折曲角度αａが５°であるから鉛直面Ｓ上に直立された状態となる（図１の(b) ）。
【００２４】
これに対し、図１の(b) に仮想線で示すように、手掛かり棒６が脚柱４に沿う折り畳み状態にあっては、図６に詳細に示すように、脚柱４側の固定ブラケット１１の下窄まり傾斜壁１４に対し、縦長孔３１に嵌合枢支された回転用枢軸１７を支点として手掛かり棒６を、従って可動ブラケット１３を１８０°回動させることにより、回動ブラケット１３の傾斜壁２８は、固定ブラケット１１の下窄まり傾斜壁１４と同じ下窄まり傾斜壁となり、両者の傾斜角αＢ，αｂの合計は、当然に５°となり、手掛かり棒６の回転軌跡が矯正されて、脚柱４と手掛かり棒６の基端部分６ａとは５°の傾斜角αａで枢着された状態となり、これに対し上方部分６ｂは、折曲角度αａが５°であるから脚柱４に沿って折り畳まれることになる（図１の(b) ）。
【００２５】
上述のように、固定ブラケット１１、この固定ブラケット１１のブラケット本体１１ａに突設した回転用枢軸１７、可動ブラケット１３及びこれに穿設した縦長孔３１が主に回転手段１０を構成し、また固定ブラケット１１と可動ブラケット１３との互いの傾斜壁１４，２８、回転用枢軸１７及び縦長孔３１が主に回転軌跡矯正手段７を構成しているが、これだけではなく両者は互いにその機能を補填し合っていることも明白である。
【００２６】
また、この実施形態では、手掛かり棒６が作業ステージ１より上方に突出した伸展状態にある時にその伸展状態を維持する伸展ロック手段３８、及び手掛かり棒６が脚柱４に沿う折り畳み状態にある時にその折り畳み状態を維持する折り畳みロック手段３９を設けるが、その構造を図８の（ａ）〜（ｃ）及び図９の（ａ）〜（ｄ）に示す使用状態の説明に合わせて述べると、まず図９の（ａ）に示すように、手掛かり棒６が上方に突出するよう回動し、固定ブラケット１１の上部ロック孔１９の上方にロックピン３２が位置した時、その時点より、図９の（ａ）の矢印に示すように手掛かり棒６を下方に押圧することによって可動ブラケット１３のロックピン３２が固定ブラケット１１の上部ロック孔１９に嵌合する。この嵌合の際に、上部ロック孔１９の入口を塞いでいた上部ロック爪２２はロックピン３２に押圧されてロックばね２７の付勢力に抗して後退し、ロックピン３２が上部ロック孔１９に完全に嵌合するとロックピン３２の押圧作用から開放されるため上部ロック爪２２はロックばね２７に付勢されて上部ロック孔２２を塞ぐように突出し、これによってロックピン３２は上部ロック孔１９から脱出することは不可能になるから、ロックピン２２に支持された手掛かり棒６は伸展状態に維持される。
【００２７】
次に、手掛かり棒６を折り畳状態に回動させるためには、図９の（ｂ）に示すように、ロックばね２７の付勢力に抗して回転ロック板２１の解除レバー２４を上方に移動して上部ロック爪２２を上部ロック孔１９から後退させて該ロック孔１９の入口を開放し、この状態で手掛かり棒６を矢印で示すように上方に引き上げてロックピン３２を上部ロック孔１９から脱出させ、しかる後に矢印に示すように回転用枢軸１７を支点として回転させて、同図の（ｃ）に示すように手掛かり棒６及びロックピン３２が下部ロック孔２０の真下に位置させ、この状態で手掛かり棒６を矢印に示すように上方に持ち上げることにより、同図の（ｄ）に示すようにロックピン３２は固定ブラケット１１の下部ロック孔２０に嵌合する。この嵌合の際に、下部ロック孔２０の入口を塞いでいた下部ロック爪２３はロックピン３２に押圧されてロックばね２７の付勢力に抗して後退し、ロックピン３２が下部ロック孔２０に完全に嵌合するとロックピン３２の押圧作用から開放されるため下部ロック爪２３はロックばね２７に付勢されて下部ロック孔２０を塞ぐように突出し、これによってロックピン３２は下部ロック孔２０から脱出することは不可能になるから、ロックピン３２に支持された手掛かり棒６は、図３に示すように脚柱４に沿う折り畳み状態を維持される。
【００２８】
この実施形態においては、回転ロック板２１、上部ロック孔１９、上部ロック爪２２、ロックピン３２、ロックばね２７及び解錠レバー２４が伸展ロック手段３８を構成し、また回転ロック板２１、下部ロック孔２０、下部ロック爪２３、ロックピン３２、ロックばね２７及び解錠レバー２４が折り畳みロック手段３９を構成する。
【００２９】
前記したように、回転手段７の固定ブラケット１１は、回転用枢軸１７を介して可動ブラケット１３に対し回転可能に連結されたブラケット本体１１ａと、このブラケット本体１１ａ内に嵌め込まれて、リベット４１でケース状のブラケット本体１１ａに取り付け固定される取付用ブラケット１１ｂとからなるもので、固定ブラケット１１を脚部２の脚柱４に取り付けるには、脚柱４の本体側壁４ａの表側に取り付け固定されている回転金具３の連結板Ｒに固定ブラケット１１の取付用ブラケット１１ｂを当て付けて、脚柱４の本体側壁４ａの裏側から本体側壁４ａのボルト挿通孔４ｏ、連結板Ｒのボルト挿通孔３ａ及び取付用ブラケット１１ｂのボルト挿通孔４０に亘ってボルト９ａを挿通し、取付用ブラケット１１ｂのボルト挿通孔４０の内端部に予め固着されたナット９ｂに螺合して締結すればよい。
【００３０】
こうして固定ブラケット１１のブラケット本体１１ａを脚柱４の本体側壁４ａの裏側から挿通されるボルト９ａにより回転金具３の連結板Ｒに取り付け固定することによって、固定ブラケット１１のブラケット本体１１ａは、直接的には回転金具３の鋼板製連結板Ｒに取り付けられると共に、この連結板Ｒとこれが取り付けられている脚柱４の本体側壁４ａとの両者に対しボルト９ａで取り付け固定されることになるから、手掛かり棒６を頻繁に使用しても、それらのボルト挿通孔が摩滅し難く、また脚柱４側が変形したり、損傷するようなことがなく、従って固定ブラケット１１を長期間に亘って的確で安定状態に取り付けることができる。また、ボルト９ａによって取り付けるから、固定ブラケット１１の取付及び取り外しが容易で、手掛かり棒６の着脱が可能となる。
【００３１】
また上記のように固定ブラケット１１のブラケット本体１１ａを脚柱４の本体側壁４ａの裏側から挿通されるボルト９ａにより回転金具３の連結板Ｒに取り付け固定するから、脚柱４に対する固定ブラケット１１の取付けを簡単容易に行うことができると共に、既製の作業台の脚部２にも簡単に取り付けることができる。
【００３２】
また固定ブラケット１１は、リベット４２で脚柱４の本体側壁４ａに固定された回転金具３の連結板Ｒの脚柱取付部分に取り付けられるから、ブラケット本体１１ａの被取付面４３を、そのまま連結板Ｒの取付面４４（図４の(a) 参照）に当接させようとれば、この連結板Ｒの取付面４４には図４の(a) に示すようにリベット４２の頭４２ａが突出しているため、ブラケット本体１１ａを適切に取り付けることができない。そこで、固定ブラケット１１のブラケット本体１１ａの被取付面４３には、回転金具３の連結板Ｒの外側面である取付面４４に突出するリベット４２の頭４２ａが嵌挿可能なリベット頭嵌挿孔４５が設けられている。図４の(a) はそのことを示したもので、固定ブラケット１１のブラケット本体１１ａを回転金具３の連結板Ｒに取り付けるにあたって、ブラケット本体１１ａ側のリベット頭嵌挿孔４５を、連結板Ｒの取付面４４に突出しているリベット４２の頭４２ａに合わせるようにしている。またリベット頭嵌挿孔４５にリベット４２の頭４２ａが嵌挿した状態は図５に示される。これによって、固定ブラケット１１のブラケット本体１１ａを連結板Ｒの取付面４４（外側面）に密着させて的確に取り付けることができる。
【図面の簡単な説明】
【００３３】
【図１】(a) は本発明に係る作業台の正面図、(b) はその側面図である。
【図２】(a) は基端部に回転手段を取り付けた手掛かり棒の拡大側面図、(b) はその背面図である。
【図３】手掛かり棒を回転手段を介して脚部の脚柱に取り付けた状態を示すもので、(a) は図１の(a) の矢印イで示す部分の拡大図、(b) は図１の(b) の矢印ロで示す部分の拡大図である。
【図４】(a) は手掛かり棒の基端部に取り付けた回転手段の固定ブラケットを脚柱の回転金具の連結板に取り付けようとしている状態を示す斜視図、(b) は図３の(b) のハ−ハ線断面図である。
【図５】手掛かり棒の伸展状態での回転手段の一部断面要部側面図である。
【図６】手掛かり棒の折り畳み状態での回転手段の要部側面図である。
【図７】(a) は回転手段の平面図、(b) は回転手段の背面図で、特に固定ブラケットの取付用ブラケットを示す。
【図８】(a) 〜(c) は固定ブラケットを構成する固定ブラケットと可動ブラケットとを示すと共に、固定ブラケットを構成するブラケット本体と取付用ブラケットを示す分解斜視図である。
【図９】(a) 〜(d) は実施形態での操作順序を示す説明図である。
【図１０】(a) 従来の作業台の正面図、(b) はその側面図である。
【図１１】(a) は図１０の(a) の矢印ニで示す部分の拡大図、(b) は図１０の(b) の矢印ホで示す部分の拡大図である。
【符号の説明】
【００３４】
１            作業ステージ
２            脚部
３            回転金具
Ｔ            回転金具の取付板
Ｒ            回転金具の連結板
４            脚柱
５            踏桟
６            手掛かり棒
７            回転手段
１１          固定ブラケット
１１ａ        ブラケット本体
１１ｂ        取付用ブラケット
１３          可動ブラケット
４２          リベット
４２ａ        リベットの頭
４５          リベット頭嵌挿孔
【図１】
2005232708.tif 000003
【図２】
2005232708.tif 000004
【図３】
2005232708.tif 000005
【図４】
2005232708.tif 000006
【図５】
2005232708.tif 000007
【図６】
2005232708.tif 000008
【図７】
2005232708.tif 000009
【図８】
2005232708.tif 000010
【図９】
2005232708.tif 000011
【図１０】
2005232708.tif 000012
【図１１】
2005232708.tif 000013